(57)【特許請求の範囲】
【請求項１】
手洗い器を備えた手洗い器付き小便器であって、
手洗い用の洗浄水を吐水する手洗吐水部と、この手洗吐水部から吐水された洗浄水を受ける手洗ボウル部と、この手洗ボウル部の底部に形成され洗浄水を排出する手洗排水口と、を備えた手洗い器本体と、
この手洗い器本体の下方に設けられ且つ手洗い器本体と一体構造である小便器本体であって、この小便器本体が、上記手洗ボウル部の手洗排水口から排出された洗浄水を受ける便器ボウル部と、この便器ボウル部の底部に形成され洗浄水を下流側に形成された排水流路へ排出する便器排水口と、を備えた上記小便器本体と、を有し、
上記手洗い器本体の手洗ボウル部が、上記手洗ボウル部の手洗排水口が詰まった場合に、洗浄水が手洗ボウル部の上縁から溢れて上記小便器本体の便器ボウル部内に導かれ、上記便器排水口から排出されるように構成され、
上記手洗い器本体の手洗ボウル部の側面壁と上記小便器本体の便器ボウル部の側面壁は同一面上に形成され、
上記手洗ボウル部の前面壁の上縁は、上記手洗ボウル部の全周壁の上縁において最も低い位置に形成され、且つ、上記便器ボウル部の側面壁の前端より後方に位置し、
さらに、上記手洗ボウル部の前面壁の下側面は、この手洗いボウル部の前方から後方に向けて傾斜して形成されていることを特徴とする手洗い器付き小便器。
【請求項２】
手洗い器を備えた手洗い器付き小便器であって、
手洗い用の洗浄水を吐水する手洗吐水部と、この手洗吐水部から吐水された洗浄水を受ける手洗ボウル部と、この手洗ボウル部の底部に形成され洗浄水を排出する手洗排水口と、を備えた手洗い器本体と、
この手洗い器本体の下方に設けられ且つ手洗い器本体と一体構造である小便器本体であって、この小便器本体が、上記手洗ボウル部の手洗排水口から排出された洗浄水を受ける便器ボウル部と、この便器ボウル部の底部に形成され洗浄水を下流側に形成された排水流路へ排出する便器排水口と、を備えた上記小便器本体と、を有し、
上記手洗い器本体の手洗ボウル部が、上記手洗ボウル部の手洗排水口が詰まった場合に、洗浄水が手洗ボウル部の上縁から溢れて上記小便器本体の便器ボウル部内に導かれ、上記便器排水口から排出されるように構成され、
上記手洗い器本体の手洗ボウル部の側面壁と上記小便器本体の便器ボウル部の側面壁は同一面上に形成され、
上記手洗ボウル部の前面壁の上縁は、上記手洗ボウル部の全周壁の上縁において最も低い位置に形成され、且つ、上記便器ボウル部の側面壁の前端より後方に位置し、
さらに、上記手洗ボウル部の前面壁は、この上縁の両端部が、中央部よりも低い位置に形成されていることを特徴とする手洗い器付き小便器。
【請求項３】
上記手洗ボウル部の前側の上縁は、平面視で、上記便器ボウル部内に形成されている請求項１又は２に記載の手洗い器付き小便器。
【請求項４】
上記手洗い器本体の手洗ボウル部は、上記手洗ボウル部の手洗排水口が詰まった場合に、洗浄水を上記手洗ボウル部の前面壁の上縁のみから溢れさせて上記便器ボウル部内に導くように構成されている請求項１乃至３の何れか１項に記載の手洗い器付き小便器。
【発明の詳細な説明】
【技術分野】
【０００１】
本発明は、手洗い器を備えた手洗い器付き小便器に関する。
【背景技術】
【０００２】
従来から、特許文献１に示されているように、トイレ空間のスペースを有効に使用するため、又は節水化をするために手洗い器と小便器を一体にした手洗い器付き小便器が知られている。
【先行技術文献】
【特許文献】
【０００３】
【特許文献１】特開平４−１７４１４４号公報
【発明の概要】
【発明が解決しようとする課題】
【０００４】
しかしながら、上述した特許文献１に示すような手洗い器付き小便器においては、小便器の上方に手洗い器が設けられているので、手洗い器付き小便器を使用している使用者がたんやガムなどの異物を手洗い器内に捨て易く、これらの異物が手洗い器内の手洗排水口に詰まり、手洗吐水部から吐水された洗浄水が排水できずに手洗い器から溢れ出ることがあるといった問題がある。そして、洗浄水が手洗い器から溢れ出る場合に、溢れ出た洗浄水が手洗い器の前側から床に流れ落ちてしまい、床面を濡らす等の不具合を生じるという問題があった。
【０００５】
そこで、本発明は、従来技術の欠点を解決するためになされたものであり、洗浄水が手洗ボウル部から溢れても、確実に小便器本体に流すことができ、洗浄水が床面を濡らす等の不具合を防止でき、信頼性のある手洗い器付き小便器を提供することを目的としている。
【課題を解決するための手段】
【０００６】
上記の目的を達成するために、本発明は、手洗い器を備えた手洗い器付き小便器であって、手洗い用の洗浄水を吐水する手洗吐水部と、この手洗吐水部から吐水された洗浄水を受ける手洗ボウル部と、この手洗ボウル部の底部に形成され洗浄水を排出する手洗排水口と、を備えた手洗い器本体と、この手洗い器本体の下方に設けられ且つ手洗い器本体と一体構造である小便器本体であって、この小便器本体が、手洗ボウル部の手洗排水口から排出された洗浄水を受ける便器ボウル部と、この便器ボウル部の底部に形成され洗浄水を下流側に形成された排水流路へ排出する便器排水口と、を備えた小便器本体と、を有し、手洗い器本体の手洗ボウル部が、手洗ボウル部の手洗排水口が詰まった場合に、洗浄水が手洗ボウル部の上縁から溢れて小便器本体の便器ボウル部内に導かれ、便器排水口から排出されるように構成され、手洗い器本体の手洗ボウル部の側面壁と小便器本体の便器ボウル部の側面壁は同一面上に形成され、手洗ボウル部の前面壁の上縁は、手洗ボウル部の全周壁の上縁において最も低い位置に形成され、且つ、便器ボウル部の側面壁の前端より後方に位置し、さらに、手洗ボウル部の前面壁の下側面は、この手洗いボウル部の前方から後方に向けて傾斜して形成されていることを特徴としている。
このように構成された本発明においては、使用者がたんやガムなどの異物を手洗ボウル部に捨て、これらの異物が手洗ボウル部の手洗排水口に詰まり、手洗吐水部から吐水された洗浄水が、手洗ボウル部から溢れ出る場合に、手洗ボウル部の上縁から溢れて小便器本体の便器ボウル部内に導かれ、便器ボウル部内を流下し、便器排水口から排出される。この結果、発明によれば、手洗器本体の手洗いボウル部から溢れ出した洗浄水が床面を濡らす等の不具合を防止でき、信頼性のある手洗い器付き小便器を提供することができる。
また、このように構成された本発明においては、手洗ボウル部の前面壁の上縁が、手洗ボウル部の全周壁の上縁において最も低い位置に形成され、且つ、便器ボウル部の側面壁の前端より後方に位置しているので、手洗いボウル部から溢れた洗浄水を、確実に、小便器本体の便器ボウル部に導くことができる。
また、このように構成された本発明においては、手洗ボウル部の前面壁の下側面が、手洗いボウル部の前方から後方に向けて傾斜して形成されているので、手洗いボウル部から溢れた洗浄水は、手洗いボウル部の前面壁の下側面に沿って前方から後方に向かって確実に便器ボウル部内に流下することができる。
【０００７】
本発明において、好ましくは、手洗い器を備えた手洗い器付き小便器であって、手洗い用の洗浄水を吐水する手洗吐水部と、この手洗吐水部から吐水された洗浄水を受ける手洗ボウル部と、この手洗ボウル部の底部に形成され洗浄水を排出する手洗排水口と、を備えた手洗い器本体と、この手洗い器本体の下方に設けられ且つ手洗い器本体と一体構造である小便器本体であって、この小便器本体が、手洗ボウル部の手洗排水口から排出された洗浄水を受ける便器ボウル部と、この便器ボウル部の底部に形成され洗浄水を下流側に形成された排水流路へ排出する便器排水口と、を備えた小便器本体と、を有し、手洗い器本体の手洗ボウル部が、手洗ボウル部の手洗排水口が詰まった場合に、洗浄水が手洗ボウル部の上縁から溢れて小便器本体の便器ボウル部内に導かれ、便器排水口から排出されるように構成され、手洗い器本体の手洗ボウル部の側面壁と小便器本体の便器ボウル部の側面壁は同一面上に形成され、手洗ボウル部の前面壁の上縁は、手洗ボウル部の全周壁の上縁において最も低い位置に形成され、且つ、便器ボウル部の側面壁の前端より後方に位置し、さらに、手洗ボウル部の前面壁は、この上縁の両端部が、中央部よりも低い位置に形成されていることを特徴としている。
このように構成された本発明においては、使用者がたんやガムなどの異物を手洗ボウル部に捨て、これらの異物が手洗ボウル部の手洗排水口に詰まり、手洗吐水部から吐水された洗浄水が、手洗ボウル部から溢れ出る場合に、手洗ボウル部の上縁から溢れて小便器本体の便器ボウル部内に導かれ、便器ボウル部内を流下し、便器排水口から排出される。この結果、発明によれば、手洗器本体の手洗いボウル部から溢れ出した洗浄水が床面を濡らす等の不具合を防止でき、信頼性のある手洗い器付き小便器を提供することができる。
また、このように構成された本発明においては、手洗ボウル部の前面壁の上縁が、手洗ボウル部の全周壁の上縁において最も低い位置に形成され、且つ、便器ボウル部の側面壁の前端より後方に位置しているので、手洗いボウル部から溢れた洗浄水を、確実に、小便器本体の便器ボウル部に導くことができる。
また、このように構成された本発明においては、手洗ボウル部の前面壁の上縁の両端部が、中央部よりも低い位置に形成されているので、手洗いボウル部から溢れた洗浄水は、手洗いボウル部の前面壁の両端部から、確実に、便器ボウル部側面壁を経由して、小便器本体の便器ボウル部内に流下することができる。
【０００８】
本発明において、好ましくは、手洗ボウル部の前側の上縁は、平面視で、便器ボウル部内に形成されている。
このように構成された本発明においては、手洗ボウル部の前側の上縁が、平面視で、便器ボウル部内に形成されているので、手洗ボウル部の前側の上縁から溢れた洗浄水が小便器本体の便器ボウル部に導かれ、便器ボウル部内を流下し、便器排水口から排出される。
【００１１】
本発明において、好ましくは、手洗い器本体の手洗ボウル部は、上記手洗ボウル部の手洗排水口が詰まった場合に、洗浄水を上記手洗ボウル部の前面壁の上縁のみから溢れさせて上記便器ボウル部内に導くように構成されている。
このように構成された本発明においては、洗浄水が手洗ボウル部の前面壁の上縁のみから溢れるので、使用者が洗浄水が手洗ボウル部から溢れていることが容易にわかる。さらに、使用者が、洗浄水が手洗ボウル部から溢れ出している部分を目視できるので、この部分の清掃作業をしやすく衛生性を保つことができる。
【発明の効果】
【００１２】
本発明の手洗い器付き小便器によれば、洗浄水が手洗ボウル部から溢れても、確実に小便器本体に流すことができ、洗浄水が床面を濡らす等の不具合を防止でき、信頼性のある手洗い器付き小便器を提供することができる。
【図面の簡単な説明】
【００１３】
【図１】本発明の実施形態による手洗い器付き小便器を示す斜視図である。
【図２】本発明の実施形態による手洗い器付き小便器を示す正面図である。
【図３】本発明の実施形態による手洗い器付き小便器の上面図である。
【図４】図２のIV−IV線に沿って見た部分断面図である。
【発明を実施するための形態】
【００１４】
以下、図１乃至図４を参照して、本発明の実施形態による手洗い器付き小便器を説明する。図１は本発明の実施形態による手洗い器付き小便器を示す斜視図であり、図２は本発明の実施形態による手洗い器付き小便器を示す正面図であり、図３は本発明の実施形態による手洗い器付き小便器の上面図であり、図４は図２のIV−IV線に沿って見た部分断面図である。
【００１５】
図１に示すように、本発明の実施形態による手洗い器付き小便器１は、小便器本体２と、この小便器本体２の上方に設けられた手洗い器本体４とを備えており、小便器本体２と手洗い器本体４は、一体構造となっている。
小便器本体２は、小便を洗浄する洗浄水を吐水する便器吐水部６と、便器吐水部６から吐水された洗浄水を受ける便器ボウル部８とを備えている。
【００１６】
便器吐水部６は、便器ボウル部８の左右中心軸線上の便器ボウル部８の中央より上方の高さ位置に配置されている。便器吐水部６は、この上流側に設けられた便器給水流路１０に接続され、この便器給水流路１０は給水配管（図示せず）に接続されている。
【００１７】
便器ボウル部８は、この側面に形成されたボウル部側面壁１４と、このボウル部側面壁１４上において洗浄水を前方に誘導する段差を形成する段部１６と、このボウル部側面壁１４の周囲を取り囲む外側壁面１８とを備える。この便器ボウル部８のその底部には、洗浄水を排出する便器排水口２０が形成され、便器排水口２０は、この下流側に設けられた排水流路２２に接続されている。この排水流路２２は、下流側の排水配管（図示せず）に連結されている。
ボウル部側面壁１４は、小便器本体２の上部から底部まで延び、手洗い器本体４をその前面左右両側から後方にかけて覆うような壁形状に形成され、手洗い器本体４から下方に延びる流面を形成している。段部１６は、便器吐水部６近傍から便器ボウル部８の底部前方まで下方に張り出して湾曲した弧状に延びている。
【００１８】
図１に示すように、手洗い器本体４は、手洗い用の洗浄水を前方下方に向かって吐水できるように設けられている手洗吐水部２４と、手洗吐水部２４から吐水された洗浄水を受ける手洗ボウル部２６とを備えている。
【００１９】
手洗ボウル部２６は、ボウル形状（鉢形状）に形成され、手洗吐水部２４の下方に配置されている。
手洗ボウル部２６は、手洗ボウル部２６の側面を形成する側面壁２６ａと、手洗ボウル部の後面を形成する後面壁２６ｂと、手洗ボウル部の底部２６ｃと、手洗ボウル部の前面を形成する前面壁２６ｄと、を備えている。
手洗ボウル部２６の側面壁２６ａは、その前方上部においてボウル部側面壁１４と接合し、ボウル部側面壁１４とほぼ同一面に形成されている。
手洗ボウル部２６の底部２６ｃは、側面壁２６ａ、後面壁２６ｂ及び前面壁２６ｄの下部と接続されている。底部２６ｃには、６つの手洗排水口２８が形成され、手洗排水口２８が鉛直方向下方に延びて便器ボウル部８内側と連通し、手洗排水口から排出された洗浄水を便器ボウル部８に供給するようになっている。
【００２０】
手洗ボウル部２６の前面壁２６ｄは、手洗ボウル部２６の前側上方から後側下方へと下り傾斜して形成されている。この前面壁２６ｄの上端には、前面壁２６ｄの上縁２６ｅが形成されている。手洗ボウル部２６の前面壁２６ｄの下側面（下側壁）２６ｊは、手洗ボウル部２６の前側上方から後側下方へと下り傾斜して形成されている。
この上縁２６ｅは、手洗ボウル部２６の前側端部を形成し、この上縁２６ｅの中央部２６ｆが頂部を形成し、ボウル部側面壁１４に接続される両端部２６ｇに向かって下降するようなアール形状（弧形状）に形成されている。
この上縁２６ｅの中央部２６ｆはこの上縁２６ｅの両端部２６ｇよりも上方に突出し且つこの上縁２６ｅの両端部２６ｇよりも前方に突出して形成される。従って、この上縁２６ｅの高さ位置は、この上縁２６ｅの中央部２６ｆの高さ位置よりも低い高さ位置に配置され、両端部２６ｇが上縁２６ｅの最下部を形成している。この上縁２６ｅの両端部２６ｇの高さ位置は、側面壁２６ａの側面壁上縁２６ｈよりも一段下がった高さ位置に設定され、さらに、側面壁２６ａの側面壁上縁２６ｈの位置及び後面壁２６ｂの後面壁上縁２６ｉの位置よりも低い高さ位置、すなわち手洗ボウル部２６の全周面壁の上縁の高さ位置の内で最も低い高さ位置に設定されている。従って、手洗ボウル部２６の手洗排水口２８が詰まって手洗ボウル部２６から洗浄水が溢れ出る場合には、前面壁２６ｄの上縁２６ｅによってガイドされて、洗浄水が手洗ボウル部２６の前側の両端部２６ｇ上の、両端部２６ｇとボウル部側面壁１４との間の空間、から溢れ出るようになっている。
【００２１】
この上縁２６ｅの両端部２６ｇは、ボウル部側面壁１４の前端１４ａより後方に所定間隔Ｄ離れた位置においてボウル部側面壁１４に接続されている。この所定間隔Ｄは、洗浄水が両端部２６ｇ上を乗り越えて溢れ出るときに、溢れ出る洗浄水が自重により前端１４ａと両端部２６ｇとの間を便器ボウル部８内にボウル部側面壁１４に沿いながら（ボウル部側面壁１４を経由して）流下できるのに十分な間隔として設定されている。
【００２２】
図３に示すように、本発明の実施形態による手洗い器付き小便器１は、平面視で、手洗ボウル部２６が形成されている領域が便器ボウル部８が形成されている領域の内側に配置され、前方から見ると、手洗ボウル部２６の前面壁２６ｄの上縁２６ｅがボウル部側面壁１４の内側に配置されている。
【００２３】
図２に示すように、手洗い器付き小便器１には、さらに、壁面３０の小便器本体２の上方の裏側に配置された光電センサ３２と、この光電センサ３２が検出した検出情報に基づいて、小便器本体２の洗浄作用を制御する制御手段である便器吐水制御部３４と、この便器吐水制御部３４からの制御信号に従って、洗浄水を便器吐水部６から便器ボウル部８に吐水させる吐水手段である便器吐水電磁弁３６と、洗浄水（給水）を電気分解して生成した電解水を洗浄水中に注入する細菌抑制装置３８とが設けられている。
【００２４】
光電センサ３２は、光を用いて人及び物体の有無を検出するセンサである。
便器吐水制御部３４は、建築物の壁面３０の裏側に配置され、細菌抑制手段３８、後述する手洗吐水制御部４２、他の手洗い器付き小便器の便器吐水制御部等と接続しながら連動して制御できるようにされている。
便器吐水電磁弁３６は、便器給水流路１０に設けられ、便器吐水制御部３４から送られる制御信号に基づいて開閉される。
細菌抑制装置３８は、便器給水流路１０上の便器吐水部６と便器吐水電磁弁３６との間に設けられ、尿を分解して尿石を発生させるバクテリア（細菌）の繁殖を抑制できる電解水（水中に含まれる銀イオンが残留塩素を活性化させた水）を洗浄水中に注入するためのものである。
【００２５】
図２に示すように、手洗い器付き小便器１には、さらに、手洗吐水部２４の内部の最前面に配置された手洗吐水用赤外センサ４０と、建築物の壁面３０の裏側に配置され、手洗吐水用赤外センサ４０が検出した検出情報に基づいて、手洗い器本体４の手洗洗浄作用を制御する制御手段である手洗吐水制御部４２と、この手洗吐水制御部４２からの制御信号に従って、洗浄水を手洗吐水部２４から吐水させる吐水手段である手洗吐水電磁弁４４とが設けられている。
手洗吐水用赤外センサ４０は、赤外線を検出するセンサであり、使用者の手、腕、手に持ったコップや洗浄用具等の器具を検出すると検出信号を手洗吐水制御部４２に送るようになっている。
手洗吐水電磁弁４４は、手洗い器給水流路４６に設けられ、手洗吐水制御部４２から送られる制御信号に基づいて開閉される。
【００２６】
次に、本発明の実施形態による手洗い器付き小便器の動作を説明する。
【００２７】
先ず、本発明の実施形態による手洗い器付き小便器の小便洗浄動作について説明する。
通常、使用者が手洗い器付き小便器１の前に立つと、光電センサ３２が使用者の存在を検出して検出情報を便器吐水制御部３４に送る。放尿を済ませた使用者が手洗い器付き小便器１の前から立ち去るときに、光電センサ３２が使用者の存在を検出しなくなる非検出状態となり、便器吐水制御部３４は使用者が手洗い器付き小便器１から立ち去ったと認識して、便器吐水制御部３４は小便洗浄動作を開始する。
便器吐水制御部３４は、便器吐水電磁弁３６を開き、洗浄水を便器吐水部６から便器ボウル部８に吐水させる。この洗浄水は、便器ボウル部８を流下し便器排水口２０より排出され、この下流の排水流路２２を通過し、さらに下流側の排水配管（図示せず）に流れる。便器吐水制御部３４は、一定時間が経過すると便器吐水電磁弁３６を閉止して、便器吐水部６からの吐水を終了させる。
【００２８】
次に、本発明の実施形態による手洗い器付き小便器の通常の手洗洗浄動作について説明する。
使用者が、手洗い器付き小便器１の前に立った状態或いは手洗い器付き小便器１の横等の位置（光電センサ３２が使用者の存在を検出しないような位置）に立った状態において、手等を手洗吐水用赤外センサ４０の検出範囲に移動させると、手洗吐水用赤外センサ４０が手等を検出して検出信号を手洗吐水制御部４２に送り、手洗吐水制御部４２が手洗吐水電磁弁４４を開いて、手洗吐水を開始する。吐水される洗浄水の量は単位時間あたり一定の流量に設定されている。洗浄水は、手洗吐水部２４から手洗ボウル部２６に向かって吐水され、手洗ボウル部２６内の洗浄水は、手洗排水口２８を通って流下し、小便器本体２の便器ボウル部８に流入し、ボウル部側面壁１４に沿って流下し、便器排水口２０より排出される。手洗吐水用赤外センサ４０が使用者の手等の存在を検出しなくなると、手洗吐水制御部４２が一定時間をおいて手洗吐水電磁弁４４を閉止して、手洗吐水部２４からの吐水を停止させる。
【００２９】
次に、手洗い器付き小便器１において手洗排水口２８が詰まった場合の動作について説明する。
使用者が、たんやガム等の異物を手洗ボウル部２６に捨てたことによりこれらの異物が手洗排水口２８に詰まった状態となる場合がある。
このような状態において、使用者が手等を手洗吐水用赤外センサ４０に検出させるとき、或いは手洗吐水制御部４２が設備保護洗浄のために使用者等の検出とは別に判断して洗浄動作を自動的に開始する制御を行うときには、手洗吐水部２４からの吐水が開始される。吐水された洗浄水は、手洗排水口２８から排水されないので、手洗ボウル部２６に貯留し、手洗ボウル部２６内の洗浄水の水位が上昇する。
【００３０】
手洗ボウル部２６内の洗浄水の水位が、上昇し、手洗ボウル部２６の前面壁２６ｄの上縁２６ｅの両端部２６ｇの高さ位置まで達するとき、洗浄水が、図１、図３及び図４に矢印Ａで示した水の流れのように、両端部２６ｇを乗り越えて溢れ出る。図１及び図３に示すように、溢れ出る洗浄水は、手洗ボウル部２６の側面壁２６ａから両端部２６ｇを乗り越えて便器ボウル部８のボウル部側面壁１４に沿って前方に向かって流れ出る。
また、図４に示す矢印Ａの流れは、中央部２６ｆ上の流れではなく、図４の断面図に見える両端部２６ｇを乗り越える流れを示している。溢れ出る洗浄水は、矢印Ａにより示され、ボウル部側面壁１４に沿ってボウル部側面壁１４の前端１４ａと上縁２６ｅの両端部２６ｇとの間を流下する。両端部２６ｇがボウル部側面壁１４の前端１４ａよりも後方に配置されているので、洗浄水が、前端１４ａに到達するまでに重力により下方に向きを変えることができ、ボウル部側面壁１４の前端１４ａから前方に放出されて落下したり飛び散ったりすることなく、滑らかにボウル部側面壁１４に沿って便器ボウル部８内に導かれて流れ落ちる。ここで、「溢れ出る洗浄水がボウル部側面壁１４に沿って流れる」という言葉の意義には、溢れ出る洗浄水のうち一部がボウル部側面壁１４に沿って流れ、他の一部分がボウル部側面壁１４に沿って流れていない場合の流れも含まれている。
さらに、溢れ出た洗浄水のうち全部又は一部は、手洗ボウル部２６の前面壁２６ｄの下面に伝わり、手洗ボウル部２６の前方の上縁２６ｅから後方下方へと流下する向きに指し向けられる。溢れ出た洗浄水は、ボウル部側面壁１４に沿って流下し、便器排水口２０より排出され、この下流の排水流路２２を通過し、さらに下流側の排水配管（図示せず）に流れる。
手洗吐水用赤外センサ４０が使用者の手等の存在を検出しなくなるとき、或いは、手洗吐水制御部４２が一定時間吐水が継続したことを判断するなどの自己の判断に基づいて洗浄動作を自動的に終了する制御を行うときには、手洗吐水制御部４２が手洗吐水電磁弁４４を閉止して、手洗吐水部２４からの吐水を停止させるので、洗浄水の手洗ボウル部２６の前面壁２６ｄの上縁２６ｅからの流出も停止される。
【００３１】
次に、上述した本発明の実施形態による手洗い器付き小便器の作用効果を説明する。
上述した手洗い器付き小便器１によれば、手洗い器付き小便器１を使用している使用者がたんやガムなどの異物を手洗ボウル部２６に捨て、これらの異物が手洗ボウル部２６の手洗排水口２８に詰まり、手洗吐水部２４から吐水された洗浄水が手洗ボウル部２６から溢れ出る場合に、手洗ボウル部２６の前側の上縁２６ｅの両端部２６ｇから溢れ出て小便器本体２の便器ボウル部８内に導かれ、確実に便器ボウル部８内のボウル部側面壁１４を流下し、便器排水口２０から排出される。従って、手洗器本体４の手洗ボウル部２６から溢れ出した洗浄水が床面を濡らす等の不具合を防止でき、信頼性のある手洗い器付き小便器１を提供することができる。
【００３２】
本発明の実施形態による手洗い器付き小便器１によれば、手洗ボウル部２６の前側の上縁２６ｅは、平面視でボウル部側面壁１４内に形成されているので、手洗ボウル部２６の前側の上縁２６ｅから溢れ出た洗浄水が便器ボウル部８に導かれ、便器ボウル部８内のボウル部側面壁１４を流下し、便器排水口２０から排水される。
【００３３】
また、本発明の実施形態による手洗い器付き小便器１によれば、手洗ボウル部２６の前面壁２６ｄの上縁２６ｅが、手洗ボウル部２６の全ての周壁（２６ａ、２６ｂ、２６ｄ）の上縁において最も低い高さ位置に形成され、且つ便器ボウル部８のボウル部側面壁１４の前端１４ａより後方に位置しているので、手洗いボウル部２６から溢れ出した洗浄水を、確実に、小便器本体２の便器ボウル部８に導くことができる。
【００３４】
さらに、本発明の実施形態による手洗い器付き小便器１によれば、手洗ボウル部２６の前面壁２６ｄの下側面２６ｊが、手洗いボウル部２６の前方から後方に向けて傾斜して形成されているので、手洗いボウル部２６から溢れた洗浄水は、手洗いボウル部２６の前面壁２６ｄの下側面２６ｊに沿って前方から後方に向かって確実に便器ボウル部８内に流下することができる。
【００３５】
さらに、本発明の実施形態による手洗い器付き小便器１によれば、手洗ボウル部２６の前面壁２６ｄの上縁２６ｅの両端部２６ｇが、中央部２６ｆよりも低い位置に形成されているので、手洗いボウル部２６から溢れた洗浄水は、手洗いボウル部２６の前面壁２６ｄの両端部２６ｇから、確実に、ボウル部側面壁１４を経由して、小便器本体２の便器ボウル部８内に流下することができる。
【００３６】
さらに、本発明の実施形態による手洗い器付き小便器１によれば、洗浄水が手洗ボウル部２６の前面壁２６ｄの上縁２６ｅからのみ溢れ出るので、使用者が洗浄水が手洗ボウル部２６から溢れ出していることが容易にわかる。さらに、使用者が、洗浄水が手洗ボウル部２６から溢れ出している部分を目視できるので、この部分の清掃作業をしやすく衛生性を保つことができる。
【符号の説明】
【００３７】
１            手洗い器付き小便器
２            小便器本体
４            手洗い器本体
６            便器吐水部
８            便器ボウル部
１４          ボウル部側面壁
１４ａ        前端
２０          便器排水口
２２          排水流路
２４          手洗吐水部
２６          手洗ボウル部
２６ａ        側面壁
２６ｃ        底部
２６ｄ        前面壁
２６ｅ        上縁
２６ｆ        中央部
２６ｇ        両端部
２８          手洗排水口
Ａ            矢印
Ｄ            所定間隔
【図１】
0005915968.tif 000002
【図２】
0005915968.tif 000003
【図３】
0005915968.tif 000004
【図４】
0005915968.tif 000005